(57)【要約】【課題】電話機に固有の識別情報（例えばＵＲＬ）に関連付けて中央装置（通信装置）に記憶されるデータを送受信できる電話機の販売方法、通信方法、通信システム、通信装置、電話機、及びコンピュータプログラムを提供する。【解決手段】固有の電話番号及び識別番号等を付与されるＴＶ電話機１が、付与されている識別番号、及び映像データを受付サーバ３へ送信し、受付サーバ３は、映像データをファイル化し、識別番号に対応するＵＲＬを読み出して、映像データファイル及びＵＲＬを保存サーバ４へ送信し、保存サーバ４は、受信したＵＲＬ及び映像データファイルを関連付けて記憶する。【選択図】        図１
2004282256.tif 000002
【特許請求の範囲】
【請求項１】
固有の電話番号及び電子メールアドレスを付与される電話機の販売方法において、
販売する電話機に、電話機外部で記憶されているデータを特定する前記電話機に固有の識別情報を更に付与するステップを備えることを特徴とする電話機の販売方法。
【請求項２】
外部で記憶されているデータを特定する固有の識別情報を付与される１又は複数の電話機と、データを特定する識別情報を記憶する識別情報記憶手段、及びデータを記憶するデータ記憶手段を備える中央装置との間の通信方法であって、
前記電話機は、付与されている識別情報、及びデータを前記中央装置へ送信し、
該中央装置は、前記識別情報記憶手段に記憶してある識別情報を受信した場合に、受信した識別情報に関連付けて、受信したデータを前記データ記憶手段に記憶することを特徴とする通信方法。
【請求項３】
固有の第１識別情報を付与される１又は複数の電話機と、中央装置とが通信する通信システムにおいて、
前記電話機は、
第１識別情報と異なり、外部で記憶されているデータを特定する各電話機に固有の第２識別情報を記憶する手段と、
付与されている第２識別情報、及びデータを前記中央装置へ送信する手段とを備え、
前記中央装置は、
第２識別情報を記憶する識別情報記憶手段と、
第２識別情報及びデータを受信するデータ受信手段と、
前記識別情報記憶手段に記憶してある第２識別情報を受信した場合に、
受信した第２識別情報に関連付けて、受信したデータを記憶するデータ記憶手段とを備えることを特徴とする通信システム。
【請求項４】
各電話機は、
外部で記憶されているデータを特定する第２識別情報、及び付与されている第１識別情報を前記中央装置へ送信する手段を備え、
前記中央装置は、
第１識別情報及び第２識別情報を受信する識別情報受信手段と、
前記識別情報記憶手段に記憶してある第２識別情報を受信した場合に、
受信した第２識別情報に関連付けて前記データ記憶手段に記憶してあるデータを、受信した第１識別情報を付与されている電話機へ送信する送信手段とを備えることを特徴とする請求項３に記載の通信システム。
【請求項５】
前記中央装置は、
前記識別情報記憶手段に、第２識別情報に対応して、データの記憶位置を示す第３識別情報を記憶してあり、
前記データ記憶手段が、受信したデータを記憶する場合に、受信した第２識別情報に対応する第３識別情報に関連付けて記憶する手段と、
前記送信手段が、受信した第１識別情報を付与されている電話機へデータを送信する場合に、受信した第２識別情報に対応する第３識別情報に関連付けて前記データ記憶手段に記憶してあるデータを送信する手段とを備えることを特徴とする請求項４に記載の通信システム。
【請求項６】
前記中央装置は、
前記識別情報受信手段が第１識別情報及び第２識別情報を受信した回数を、受信した第２識別情報に関連付けて計数する手段と、
前記送信手段が、受信した第２識別情報に関連付けて前記データ記憶手段に記憶してあるデータを送信する場合に、該データに、前記第２識別情報に関連付けられた計数結果を付与する手段とを備えることを特徴とする請求項４又は５に記載の通信システム。
【請求項７】
前記中央装置は、
前記データ記憶手段に、第２識別情報に関連付けて、送信すべきデータに付与する付与データを記憶してあり、
前記送信手段が、受信した第２識別情報に関連付けて前記データ記憶手段に記憶してあるデータを送信する場合に、該データに、前記第２識別情報に関連付けて前記データ記憶手段に記憶してある付与データを付与する手段とを備えることを特徴とする請求項４乃至６の何れかに記載の通信システム。
【請求項８】
各電話機は、
他の電話機と通話中に、外部で記憶されているデータを特定する第２識別情報、及び前記電話機に付与されている第１識別情報を前記中央装置へ送信する手段を備えることを特徴とする請求項４乃至７の何れかに記載の通信システム。
【請求項９】
前記中央装置は、
前記データ受信手段が第２識別情報及びデータを受信する場合に、所定のデータサイズ以下のデータを受信する手段を備えることを特徴とする請求項３乃至８の何れかに記載の通信システム。
【請求項１０】
前記データは、第１データ及び該第１データに関連付けられた複数の第２データを含み、前記第１データは、前記第２データの内、一の第２データを選択する手段を有することを特徴とする請求項３乃至９の何れかに記載の通信システム。
【請求項１１】
前記データは、動画像を用いてなることを特徴とする請求項３乃至１０の何れかに記載の通信システム。
【請求項１２】
前記中央装置は、第１通信装置と第２通信装置とを備え、前記第１通信装置は、前記識別情報記憶手段と、前記データ受信手段と、前記識別情報受信手段と、
前記識別情報記憶手段に記憶してある第２識別情報を受信した場合に、受信した第２識別情報及びデータ、又は、受信した第１識別情報及び第２識別情報を前記第２通信装置へ送信する手段とを備え、
前記第２通信装置は、
前記第１通信装置から送信された第２識別情報及びデータ、又は、前記第１通信装置から送信された第１識別情報及び第２識別情報を受信する手段と、
前記データ記憶手段と、前記送信手段とを備えることを特徴とする請求項４に記載の通信システム。
【請求項１３】
固有の電話番号及び／又は電子メールアドレスを付与される電話機において、
外部で記憶されているデータを特定する固有の識別情報を更に付与されることを特徴とする電話機。
【請求項１４】
外部と通信する通信装置において、
データを特定する識別情報を記憶する記憶手段と、
識別情報及びデータを受信する手段と、
前記記憶手段に記憶してある識別情報を受信した場合に、受信した識別情報に関連付けて、受信したデータを記憶する手段とを備えることを特徴とする通信装置。
【請求項１５】
データを特定する識別情報を記憶する識別情報記憶手段、及びデータを記憶するデータ記憶手段を備えるコンピュータに、外部と通信させるためのコンピュータプログラムにおいて、
コンピュータに、前記識別情報記憶手段に記憶してある識別情報が受信されたか否かを判定させるステップと、
コンピュータに、前記識別情報が受信された場合に、受信された識別情報に関連付けて、受信されたデータを前記データ記憶手段に記憶させるステップとを実行させることを特徴とするコンピュータプログラム。
【発明の詳細な説明】
【０００１】
【発明の属する技術分野】
本発明は、固有の電話番号を付与される電話機の販売方法、電話機と中央装置とが通信する通信方法、通信システム、通信装置、電話機、及びコンピュータプログラムに関する。
【０００２】
【従来の技術】
表示手段を備える携帯電話機又は据置式電話機等の電話機には、一般に、該電話の販売時に、固有の電話番号（又は、電話番号及び電子メールアドレス）が付与される。このような電話機は、他の電話機と通話したり、受信した電子メールを表示手段に表示したりする。
また、従来の電話機は、ブラウザを有し、例えば、ブックマークとして登録されたＵＲＬを用いてウェブページデータを受信し、受信したウェブページデータを用いてなるウェブページを表示手段に表示する（例えば、特許文献１参照）。
【０００３】
【特許文献１】
特開２００２−１２３４４３号公報
【０００４】
【発明が解決しようとする課題】
しかしながら、従来、各電話機に固有であり、かつ、該電話機の外部で記憶されているデータを特定する識別情報（例えばＵＲＩ（Ｕｎｉｆｏｒｍ  Ｒｅｓｏｕｒｃｅ  Ｉｄｅｎｔｉｆｉｅｒ  ））を更に付与される電話機は開示されていない。
【０００５】
本発明は斯かる事情に鑑みてなされたものであり、電話機の販売時に、固有の電話番号、電子メールアドレス、及び識別情報を付与することにより、識別情報に関連付けて記憶されているデータを送受信する通信システムを構成できる電話機の販売方法を提供することを目的とする。
本発明の他の目的は、固有の第１識別情報及び第２識別情報を付与される電話機を用いることにより、第２識別情報に関連付けて記憶されているデータを送受信できる通信方法、通信システム、該通信システムを構成する中央装置として用いられる通信装置、前記通信システムを構成する電話機、及びコンピュータを前記通信装置として機能させるためのコンピュータプログラムを提供することにある。
【０００６】
【課題を解決するための手段】
第１発明に係る電話機の販売方法は、固有の電話番号及び電子メールアドレスを付与される電話機の販売方法において、販売する電話機に、電話機外部で記憶されているデータを特定する前記電話機に固有の識別情報を更に付与するステップを備えることを特徴とする。
【０００７】
第１発明にあっては、電話機の販売時、又は販売後の利用契約時に、電話機に固有の電話番号、電子メールアドレス、及び識別情報を付与する。このような電話機を用いて、ユーザは、従来の電話機を用いる場合と同様に、通話したり電子メールを送受信したりする。また、識別情報は、電話機の外部で記憶されているデータを特定するため、ユーザは、電話機を用いて、識別情報に対応するデータを送受信する。
【０００８】
第２発明に係る通信方法は、外部で記憶されているデータを特定する固有の識別情報を付与される１又は複数の電話機と、データを特定する識別情報を記憶する識別情報記憶手段、及びデータを記憶するデータ記憶手段を備える中央装置との間の通信方法であって、前記電話機は、付与されている識別情報、及びデータを前記中央装置へ送信し、該中央装置は、前記識別情報記憶手段に記憶してある識別情報を受信した場合に、受信した識別情報に関連付けて、受信したデータを前記データ記憶手段に記憶することを特徴とする。
【０００９】
第３発明に係る通信システムは、固有の第１識別情報を付与される１又は複数の電話機と、中央装置とが通信する通信システムにおいて、前記電話機は、第１識別情報と異なり、外部で記憶されているデータを特定する各電話機に固有の第２識別情報を記憶する手段と、付与されている第２識別情報、及びデータを前記中央装置へ送信する手段とを備え、前記中央装置は、第２識別情報を記憶する識別情報記憶手段と、第２識別情報及びデータを受信するデータ受信手段と、前記識別情報記憶手段に記憶してある第２識別情報を受信した場合に、受信した第２識別情報に関連付けて、受信したデータを記憶するデータ記憶手段とを備えることを特徴とする。
【００１０】
第２発明及び第３発明にあっては、固有の第１識別情報として、電話番号、電子メールアドレス、又はＩＰアドレス等を付与される１又は複数の電話機と、中央装置とが通信する。
前記電話機の一部又は全部は、第１識別情報と異なり、外部で記憶されているデータを特定する各電話機に固有の第２識別情報として、ＵＲＬ（Ｕｎｉｆｏｒｍ  Ｒｅｓｏｕｒｃｅ  Ｌｏｃａｔｏｒ）又はＵＲＮ（Ｕｎｉｆｏｒｍ  Ｒｅｓｏｕｒｃｅ  Ｎａｍｅ  ）のようなＵＲＩ、第１識別情報である電話番号、メールアドレス、又はＩＰアドレス等に、更に識別情報（例えば所定の桁数の数字）を追加してなる識別情報、又は前記ＩＰアドレスとは異なるＩＰアドレス等を付与されて、記憶する。
中央装置は、識別情報記憶手段に、第２識別情報を記憶してある。
【００１１】
電話機は、付与されている第２識別情報、及びデータを中央装置へ送信し、中央装置は、第２識別情報及びデータを受信し、受信した第２識別情報が、識別情報記憶手段に記憶してある第２識別情報に一致する場合に、該第２識別情報に関連付けて、受信したデータをデータ記憶手段に記憶する。
以上のような通信システムは、第２識別情報を付与されている電話機に対し、該電話機に固有の第２識別情報に関連付けて該電話機が送信したデータを記憶する電話機外部の記憶手段（即ち中央装置のデータ記憶手段）を与える。
【００１２】
第４発明に係る通信システムは、各電話機は、外部で記憶されているデータを特定する第２識別情報、及び付与されている第１識別情報を前記中央装置へ送信する手段を備え、前記中央装置は、第１識別情報及び第２識別情報を受信する識別情報受信手段と、前記識別情報記憶手段に記憶してある第２識別情報を受信した場合に、受信した第２識別情報に関連付けて前記データ記憶手段に記憶してあるデータを、受信した第１識別情報を付与されている電話機へ送信する送信手段とを備えることを特徴とする。
【００１３】
第４発明にあっては、第１識別情報を付与されている電話機、又は第１識別情報及び第２識別情報を付与されている電話機が、外部で記憶されているデータを特定する自機又は他機に固有の第２識別情報、及び自機に付与されている第１識別情報を中央装置へ送信する。
中央装置は、第１識別情報及び第２識別情報を受信し、受信した第２識別情報が、識別情報記憶手段に記憶してある第２識別情報に一致する場合に、該第２識別情報に関連付けてデータ記憶手段に記憶してあるデータを、受信した第１識別情報を付与されている電話機へ送信する。
以上のような通信システムは、第２識別情報を付与されているかいないかにかかわらず、電話機に対し、電話機外部の記憶手段（中央装置のデータ記憶手段）に記憶されているデータを受信させる。
【００１４】
第５発明に係る通信システムは、前記中央装置は、前記識別情報記憶手段に、第２識別情報に対応して、データの記憶位置を示す第３識別情報を記憶してあり、前記データ記憶手段が、受信したデータを記憶する場合に、受信した第２識別情報に対応する第３識別情報に関連付けて記憶する手段と、前記送信手段が、受信した第１識別情報を付与されている電話機へデータを送信する場合に、受信した第２識別情報に対応する第３識別情報に関連付けて前記データ記憶手段に記憶してあるデータを送信する手段とを備えることを特徴とする。
【００１５】
第５発明にあっては、中央装置が、識別情報記憶手段に、第２識別情報に対応して、データの記憶位置を示す第３識別情報を記憶してある。
第２識別情報が、データの記憶位置を示す識別情報（例えばＵＲＬ）である場合、中央装置は、第２識別情報を用いてデータの記憶及び読み出し等を容易に実行するが、電話機のユーザは、例えば、他の電話機のユーザの名前と第１識別情報（電話番号）と第２識別情報とを、前記ユーザ毎に、ユーザ自身が記憶したり電話機に記憶させておいたりする必要がある。
【００１６】
本発明にあっては、第２識別情報として、ユーザが記憶し易い識別情報（例えば、他の電話機のユーザの名前、又は第１識別情報に簡単な数字又は文字列等を追加した識別情報等）を用い、第３識別情報として、データの記憶位置を示す識別情報を用いる。
【００１７】
中央装置は、受信したデータを記憶する場合に、受信した第２識別情報に対応する第３識別情報に関連付けてデータ記憶手段に記憶し、受信した第１識別情報を付与されている電話機へデータを送信する場合に、受信した第２識別情報に対応する第３識別情報に関連付けてデータ記憶手段に記憶してあるデータを送信する。
以上のような通信システムは、第２識別情報に関連付けてデータを記憶したり読み出したりする場合に、中央装置が、第２識別情報に対応する第３識別情報を介在して、データの記憶及び読み出し等を容易に実行するため、ユーザ及び中央装置の利便性を向上している。
【００１８】
第６発明に係る通信システムは、前記中央装置は、前記識別情報受信手段が第１識別情報及び第２識別情報を受信した回数を、受信した第２識別情報に関連付けて計数する手段と、前記送信手段が、受信した第２識別情報に関連付けて前記データ記憶手段に記憶してあるデータを送信する場合に、該データに、前記第２識別情報に関連付けられた計数結果を付与する手段とを備えることを特徴とする。
【００１９】
第６発明にあっては、中央装置が、第１識別情報及び第２識別情報を受信した回数、即ち、電話機が、その第２識別情報に関連付けられているデータの送信を要求してきた回数を計数して、計数結果を第２識別情報に関連付けておき、データを送信する場合に、該データに計数結果を付与する。
以上のような通信システムは、計数結果を付与することによって、データを受信した電話機のユーザに対し、該データに対するアクセス数を報知する。
【００２０】
第７発明に係る通信システムは、前記中央装置は、前記データ記憶手段に、第２識別情報に関連付けて、送信すべきデータに付与する付与データを記憶してあり、前記送信手段が、受信した第２識別情報に関連付けて前記データ記憶手段に記憶してあるデータを送信する場合に、該データに、前記第２識別情報に関連付けて前記データ記憶手段に記憶してある付与データを付与する手段とを備えることを特徴とする。
【００２１】
第７発明にあっては、中央装置が、送信すべきデータに付与する付与データを、第２識別情報に関連付けてデータ記憶手段に記憶してある。中央装置は、データを送信する場合に、該データに付与データを付与する。
以上のような通信システムは、電話機から受信してデータ記憶手段に記憶してあるデータに対し、該データとは異なる付与データを追加する。データ及び付与データは、一方が変更された場合であっても他方を変更する必要がない。このため、例えば、付与データとして、電子メールの署名のような定型的なデータを用いることによって、データの送信時に、一定のデータを常に追加する。
【００２２】
第８発明に係る通信システムは、各電話機は、他の電話機と通話中に、外部で記憶されているデータを特定する第２識別情報、及び前記電話機に付与されている第１識別情報を前記中央装置へ送信する手段を備えることを特徴とする。
【００２３】
第８発明にあっては、第２識別情報を付与されている電話機、又は付与されていない電話機が、他の電話機と通話中に、外部で記憶されているデータを特定する第２識別情報、及び通話相手である電話機に付与されている第１識別情報を中央装置へ送信する。
中央装置は、第１識別情報及び第２識別情報を受信し、受信した第２識別情報が、識別情報記憶手段に記憶してある第２識別情報に一致する場合に、該第２識別情報に関連付けてデータ記憶手段に記憶してあるデータを、受信した第１識別情報を付与されている電話機へ送信する。
以上のような通信システムは、電話機同士の通話中に、第１識別情報及び第２識別情報を送信した電話機の通話相手である電話機通話相手の電話機へ、データを送信する。
【００２４】
第９発明に係る通信システムは、前記中央装置は、前記データ受信手段が第２識別情報及びデータを受信する場合に、所定のデータサイズ以下のデータを受信する手段を備えることを特徴とする。
【００２５】
第９発明にあっては、中央装置が、所定のデータサイズ以下のデータを受信して、データ記憶手段に記憶する。
以上のような通信システムは、データ記憶手段に記憶するデータのデータサイズを中央装置が限定する（即ち、電話機毎に与えられるデータ記憶手段の記憶容量を中央装置側で加減する）。
【００２６】
第１０発明に係る通信システムは、前記データは、第１データ及び該第１データに関連付けられた複数の第２データを含み、前記第１データは、前記第２データの内、一の第２データを選択する手段を有することを特徴とする。
【００２７】
第１０発明にあっては、電話機が、受信したデータの第１データを利用した後、該第１データに関連付けられている複数の第２データの内、一の第２データを選択して利用する。第２データ同士は、内容が夫々異なり、一の第２データを選択した場合、他の第２データは選択されない。
以上のような通信システムは、１個のデータが、複数種類の内容を有することになる。
【００２８】
第１１発明に係る通信システムは、前記データは、動画像を用いてなることを特徴とする。
【００２９】
第１１発明にあっては、動画像を用いてなるデータを用いるため、電話機に受信されたデータは、例えば、電話機が備える表示手段に表示される。
【００３０】
第１２発明に係る通信システムは、前記中央装置は、第１通信装置と第２通信装置とを備え、前記第１通信装置は、前記識別情報記憶手段と、前記データ受信手段と、前記識別情報受信手段と、前記識別情報記憶手段に記憶してある第２識別情報を受信した場合に、受信した第２識別情報及びデータ、又は、受信した第１識別情報及び第２識別情報を前記第２通信装置へ送信する手段とを備え、前記第２通信装置は、前記第１通信装置から送信された第２識別情報及びデータ、又は、前記第１通信装置から送信された第１識別情報及び第２識別情報を受信する手段と、前記データ記憶手段と、前記送信手段とを備えることを特徴とする。
【００３１】
第１２発明にあっては、第１通信装置は、識別情報記憶手段に、第２識別情報を記憶してある。第２通信装置は、データ記憶手段を備える。
電話機は、付与されている第２識別情報、及びデータを第１通信装置へ送信し、第１通信装置は、第２識別情報及びデータを受信し、受信した第２識別情報が、識別情報記憶手段に記憶してある第２識別情報に一致する場合に、受信した第２識別情報及びデータ第２通信装置へ送信し、第２通信装置は、受信した第２識別情報に関連付けて、受信したデータをデータ記憶手段に記憶する。
【００３２】
また、電話機は、外部で記憶されているデータを特定する自機又は他機に固有の第２識別情報、及び自機（又は他機）に付与されている第１識別情報を中央装置へ送信し、第１通信装置装置は、第１識別情報及び第２識別情報を受信し、受信した第２識別情報が、識別情報記憶手段に記憶してある第２識別情報に一致する場合に、受信した第１識別情報及び第２識別情報を第２通信装置へ送信し、第２通信装置は、受信した第２識別情報に関連付けてデータ記憶手段に記憶してあるデータを、受信した第１識別情報を付与されている電話機へ送信する。
以上のような通信システムは、中央装置が行なう処理を第１通信装置と第２通信装置とが分担して行なう。
【００３３】
第１３発明に係る電話機は、固有の電話番号及び／又は電子メールアドレスを付与される電話機において、外部で記憶されているデータを特定する固有の識別情報を更に付与されることを特徴とする。
【００３４】
第１３発明にあっては、電話機に、該電話機に固有の第１識別情報として、電話番号及び／又は電子メールアドレスを付与し、該電話機に固有の第２識別情報として、外部で記憶されているデータを特定する識別情報を付与する。このような電話機は、付与されている電話番号及び／又は電子メールアドレスを用いて識別情報とデータとを送受信するための公知の通信手段を備えることにより、本発明の通信システムを構成する電話機として機能する。
【００３５】
第１４発明に係る通信装置は、外部と通信する通信装置において、データを特定する識別情報を記憶する記憶手段と、識別情報及びデータを受信する手段と、前記記憶手段に記憶してある識別情報を受信した場合に、受信した識別情報に関連付けて、受信したデータを記憶する手段とを備えることを特徴とする。
【００３６】
第１４発明にあっては、例えば、固有の第１識別情報、及び外部で記憶されているデータを特定する固有の第２識別情報を付与される１又は複数の電話機と通信する。通信装置は、記憶手段に、データを特定する識別情報（この場合、第２識別情報）を記憶しておき、記憶手段に記憶してある第２識別情報及びデータを電話機から受信した場合に、受信した第２識別情報に関連付けて、受信したデータを記憶手段に記憶する。このような通信装置は、本発明の通信システムを構成する中央装置として機能する。
【００３７】
第１５発明に係るコンピュータプログラムは、データを特定する識別情報を記憶する識別情報記憶手段、及びデータを記憶するデータ記憶手段を備えるコンピュータに、外部と通信させるためのコンピュータプログラムにおいて、コンピュータに、前記識別情報記憶手段に記憶してある識別情報が受信されたか否かを判定させるステップと、コンピュータに、前記識別情報が受信された場合に、受信された識別情報に関連付けて、受信されたデータを前記データ記憶手段に記憶させるステップとを実行させることを特徴とする。
【００３８】
第１５発明にあっては、コンピュータプログラムが、可搬性を有する記録媒体に記憶されて配布されたり、通信回線を介して配信されたり、コンピュータを用いてなる通信装置が備えるデータ記憶手段（例えばＲＯＭ）に予め記憶してあったりする。コンピュータプログラムは、データ記憶手段（ＲＡＭ又はハードディスク等）にインストールされてから実行されても良く、記録媒体又は配信元から読み取られて直接的に実行されても良い。
【００３９】
このようなコンピュータプログラムは、例えば、記憶手段に記憶してある識別情報を受信した場合に、受信した識別情報に関連付けて、受信したデータを記憶する手段を、通信装置のハードウェア要素を用いてソフトウェア的に実現し、該通信装置を、本発明の通信システムを構成する中央装置として機能させる。
【００４０】
【発明の実施の形態】
以下、本発明を、その実施の形態を示す図面に基づいて詳述する。
本実施の形態では、電話機として、携帯式のＴＶ電話機（実施の形態１）及び携帯電話機（実施の形態２）を例示するが、据置式の電話機であっても良い。
また、電話機が送信し、該電話機の外部で保存するデータとして、動画像及び音声等のデータを含む映像データ（即ち、動画像を用いてなるデータ）を用いる場合を例示するが、文字又は静止画像等のデータであっても良い。
【００４１】
また、電話機が撮像部（カメラ）及び音声入出力部（マイク及びスピーカ）等を備え、動画像及び音声を同時的に撮像及び集音して電話機内部で映像データを生成する場合を例示するが、電話機が外部（例えばデジタルカメラ）から受信した映像データを中央装置へ送信するよう構成しても良く、また、電話機が動画像及び音声を個別に撮像及び集音して動画データ及び音声データを生成し、生成した動画データ及び音声データを合成して１個の映像データとなすよう構成しても良い。
【００４２】
また、本実施の形態では、第１識別情報として電話番号を用いる場合を例示するが、第１識別情報として電子メールアドレス（以下、メールアドレスという）を用い、映像データを電子メールに添付して送受信するよう構成しても良い。また、第１識別情報としてＩＰアドレスを用いるよう構成しても良い。
また、本実施の形態では、電話回線網を介して、ＴＶ電話機／携帯電話機が送信した映像データをＴＶ電話機／携帯電話機が受信して閲覧する場合を例示するが、例えばＴＶ電話機が送信した映像データを、携帯電話機、又はパーソナルコンピュータ（以下、パソコンという）のような通信装置が、電話回線網又はインターネット等を介して受信して閲覧するよう構成しても良い。
【００４３】
実施の形態  １．
図１は、本発明の実施の形態１に係る通信システムを構成するＴＶ電話機１のブロック図である。
本実施の形態における通信システムは、固有の電話番号、メールアドレス及び識別番号を付与されるＴＶ電話機１，１，…と、固有の電話番号及びメールアドレスを付与される従来のＴＶ電話機２，２，…と、管理センタＣに設置され、ＴＶ電話機１，２と通信する中央装置Ｓとを備える。該中央装置Ｓは、管理センタＣの構内回線Ｌに夫々接続されている受付サーバ３（第１通信装置）と保存サーバ４（第２通信装置）とを用いて構成されている。
ＴＶ電話機１，２、受付サーバ３及び保存サーバ４は、無線又は有線で電話回線Ｐに接続される。
【００４４】
図中１０は、ＴＶ電話機１の制御中枢であるＣＰＵであり、ＣＰＵ１０は、バスを介して、ＲＯＭ１１及びＲＡＭ１２等の装置各部に接続されている。
ＣＰＵ１０は、ＲＯＭ１１に記憶された制御プログラムに従って装置各部を制御し、このとき発生するデータ又は外部から入力されるデータ（例えば通話相手の電話番号）等をＲＡＭ１２に一時記憶して、各種処理を実行する。
表示部１３は、ＣＰＵ１０に制御されて、ＴＶ電話機１の動作状態、ユーザに対する入力指示、又は動画像等を表示する。また、操作部１４は、表示部１３を見ながらユーザがＴＶ電話機１を操作するためのテンキー、カーソルキー及びファンクションキー等を備え、ＣＰＵ１０に制御されて、ユーザによる電話番号又は送信命令等の入力を受け付ける。
【００４５】
撮像部１５は、例えばＣＣＤカメラを用いてなり、動画像を撮像する。音声入出力部１６は、マイク１６１及びスピーカ１６２等を用いてなり、音声の入出力を行なう。撮像部１５で撮像された動画像のデータ、及び音声入出力部１６のマイク１６１へ入力された音声のデータは、データ処理部１７へ入力される。
データ処理部１７は、入力された各データを用い、動画像に音声を同期させた映像データを生成する。生成された映像データは、表示部１３及び音声入出力部１６のスピーカ１６２にて、動画像に音声が同期された映像として再生される。映像データが送信される場合、データ処理部１７は、生成した映像データを、通信用に圧縮する。映像データが受信された場合、データ処理部１７は、受信された映像データを、再生用に伸長する。
【００４６】
通信部１８は、アンテナを介して無線で電話回線Ｐに接続する。ＣＰＵ１０は、通信部１８を用いて、電話回線Ｐを介したデータの送受信を行なう。
映像データを送信する場合、ＣＰＵ１０は、データ処理部１７にて生成及び圧縮された映像データを、装置内部の記憶手段（例えばＲＡＭ１２）に記憶することなく、通信部１８を用いて、受付サーバ３へ送信する。このため、送信される映像データはファイル化されていないが、一般にデータサイズが大きい映像データを、ＴＶ電話機１に記憶する必要がないため、ＴＶ電話機１の記憶容量が節約される。
送信された映像データは、後述するように受付サーバ３でファイル化される。
【００４７】
ＴＶ電話機１は、販売時（ユーザがＴＶ電話機１を購入して、システムの利用を契約したとき）に、又は販売後に所定の手続を経て、固有の電話番号、メールアドレス、及び識別番号が付与され、付与された電話番号、メールアドレス、及び識別番号を、夫々ＲＯＭ１１の記憶領域１１１，１１２，１１３に記憶する。即ち、ＲＯＭ１１の記憶領域１１３は、電話番号（第１識別情報）と異なり、外部で記憶されているデータを特定するＴＶ電話機１に固有の識別番号（第２識別情報）を記憶する手段として機能する。
【００４８】
本実施の形態においては、所定の番号（例えば９１０）とＴＶ電話機１の電話番号（例えば０９０−１２３４−５６７８）とを用いてなる番号（この場合、９１００９０１２３４５６７８）を識別番号として用いる。また、ＲＯＭ１１の図示しない記憶領域には、受付サーバ３に付与されている電話番号が記憶されている。
【００４９】
ＴＶ電話機１，２は、他のＴＶ電話機１，２の電話番号を登録する機能を有する。ユーザは、操作部（ＴＶ電話機１の場合は操作部１４）を用い、前記所定の番号（この場合、９１０）を入力してから、電話番号を入力したり予め登録してある電話番号を選択したりして、ＴＶ電話機１，２に識別番号を入力する。このため、ユーザが、所要のＴＶ電話機１に付与されている識別番号を記憶したり、識別番号をＴＶ電話機１，２に入力したりすることが容易である。また、電話番号を登録することによって、電話番号と識別番号とを登録しておく必要がなくなり、ＴＶ電話機１，２の記憶容量が節約される。
なお、ＴＶ電話機１，２に、電話番号を入力／選択した場合に、入力／選択された電話番号に自動的に前記所定の番号を付加して識別番号を生成する識別番号入力モードを設けても良い。この場合、識別番号の入力がより容易になる。
【００５０】
ＴＶ電話機１は、操作部１４にて一の所定の操作（以下、映像保存操作という）が行なわれた場合に、記憶領域１１３に記憶されている識別番号を受付サーバ３へ送信するよう構成されている。また、ＴＶ電話機１は、操作部１４にて他の所定の操作（以下、映像閲覧操作という）が行なわれた場合に、操作部１４から入力された識別番号と、記憶領域１１１に記憶されている電話番号とを受付サーバ３へ送信するよう構成されている。また、ＴＶ電話機１は、操作部１４にて更に他の所定の操作（以下、映像転送操作という）が行なわれた場合に、操作部１４から入力された識別番号と、ＲＡＭ１２に記憶されている通話相手の電話番号とを受付サーバ３へ送信するよう構成されている。
【００５１】
図２は、通信システムを構成する受付サーバ３及び保存サーバ４のブロック図である。受付サーバ３及び保存サーバ４には、夫々固有の電話番号が付与されている。
図中３０，４０は、受付サーバ３及び保存サーバ４の制御中枢であるＣＰＵであり、ＣＰＵ３０，４０は、バスを介して、ＲＯＭ３１，４１及びＲＡＭ３２，４２等の装置各部に接続されている。
ＣＰＵ３０，４０は、ＲＯＭ３１，４１又はハードディスクを用いてなる補助記憶部３３，４３に記憶された制御プログラムに従って装置各部を制御し、このとき発生するデータ又は外部から入力されるデータ等をＲＡＭ３２，４２に一時記憶して、各種処理を実行する。
【００５２】
補助記憶部３３，４３には、本実施の形態のコンピュータプログラム、及び該コンピュータプログラムを実行する際に用いるデータ等が記憶されている。また、補助記憶部３３は、ユーザデータベース３３１（図３（ａ）参照）を格納し、補助記憶部４３は、閲覧データベース４３１（図３（ｂ）参照）と、保存部４３２とを格納している。
【００５３】
保存部４３２には、ＴＶ電話機１が送信した映像データと、送信すべきデータに付与する付与データである映像データ（以下、シグネチャデータという）とが、閲覧データベース４３１に記憶されている位置情報（ＵＲＬとアドレスと）に対応する保存領域に夫々保存されている。
シグネチャデータは、電子メールのシグネチャ（署名）に相当し、映像データの最後に定型的な映像データを追加するためのものである（後述）。シグネチャデータの映像としては、例えば、社名又はロゴ等が用いられる。
【００５４】
通信部３４，４４は、例えばモデムを用いてなり、電話回線Ｐに接続する。ＣＰＵ３０，４０は、通信部３４，４４を用いて、電話回線Ｐを介したデータの送受信を行なう。
ＬＡＮＩ／Ｆ３５，４５は、受付サーバ３及び保存サーバ４と構内回線Ｌとを、例えば通信ケーブルを介して接続するインターフェイスであり、ＣＰＵ３０，４０は、ＬＡＮＩ／Ｆ３５，４５及び構内回線Ｌを介してデータの送受信を行なう。
【００５５】
ＣＰＵ３０は、通信部３４を用いて映像データの受信を開始した場合、受信した映像データをＲＡＭ３２に一時記憶させ、映像データの受信が終了したとき、ＲＡＭ３２に一時記憶させた映像データをファイル化して映像データファイルとなし、この映像データファイルを、ＬＡＮＩ／Ｆ３５を介して保存サーバ４へ送信する。
【００５６】
前述したようなシグネチャデータは、例えば後述する映像保存処理の手順（図４及び図５参照）と同様の手順で、ＴＶ電話機１が送信した映像データを、受付サーバ３が受信して保存サーバ４がシグネチャデータとして保存したものである。この場合、ＴＶ電話機１は、例えば映像データとＴＶ電話機１の電話番号又は識別番号等を受付サーバ３へ送信する。受付サーバ３は、受信した映像データを映像データファイルとなし、また、受信した電話番号又は識別番号等に対応するＵＲＬをユーザデータベース３３１（図３（ａ）参照）から読み出し、読み出したＵＲＬと映像データファイルとを保存サーバ４へ送信する。保存サーバ４は、受信した映像データファイルを保存部４３２に保存し、前記映像データファイルを保存した保存部４３２の保存領域のアドレスと、受信したＵＲＬとを関連付けて、閲覧データベース４３１（図３（ｂ）参照）に記憶する。
【００５７】
なお、本実施の形態においては、映像データ及びシグネチャデータは、１個のＴＶ電話機１に対して夫々１個だけが保存される場合を例示するが、複数の映像データ又はシグネチャデータが保存できるよう構成しても良い。この場合、ＴＶ電話機１に複数の識別番号が付与される構成であっても良く、ＴＶ電話機１又は中央装置Ｓが、１個の識別番号に対し、更に識別番号、保存部４３２の保存領域の位置情報、又はファイル名等を追加して、各映像データ又はシグネチャデータを識別する構成であっても良い。
【００５８】
図３は、受付サーバ３のユーザデータベース３３１、及び保存サーバ４の閲覧データベース４３１に記憶される情報の一例を示す模式図である。
図３（ａ）に示すユーザデータベース３３１には、ユーザ名、電話番号、メールアドレス、識別番号、ＵＲＬ、及びデータサイズ等が関連付けて記憶されている。
ユーザ名の欄には、ＴＶ電話機１のユーザの名前が記憶されており、電話番号、メールアドレス、及び識別番号の欄には、夫々ＴＶ電話機１に現在付与されている固有の電話番号、メールアドレス、及び識別番号が記憶されている。
ＵＲＬの欄には、識別番号に対応し、保存部４３２における映像データの記憶位置を示すＵＲＬ（第３識別情報）が記憶されている。このようなＵＲＬは、映像データを特定し、また、各ＴＶ電話機１に固有である。
【００５９】
データサイズの欄には、ＴＶ電話機１に割り当てられる保存部４３２の保存領域のデータサイズ（以下、最大データサイズという）に等しいデータサイズを有する映像データに対応する映像をＴＶ電話機１で撮影する場合の撮影時間（以下、最大撮影時間という）が記憶されている。
本実施の形態においては、例えば、ＴＶ電話機１の販売時（新規契約時）には、データサイズの欄に、最大撮影時間として「１５秒」が記憶されており、ユーザが追加料金を支払った場合に、「３０秒」又は「４５秒」等が記憶される。最大撮影時間の変更は、例えば、受付サーバ３の管理者が、パソコンのような通信装置を用いて、受付サーバ３に新たな最大撮影時間を送信し、ユーザデータベース３３１に記憶させることによって行なう。
【００６０】
なお、ＴＶ電話機１毎に割り当てられる最大データサイズは、シグネチャデータのデータサイズ分を含めたデータサイズであっても良く、除いたデータサイズであっても良い。最大データサイズが、シグネチャデータのデータサイズを含めたデータサイズである場合は、ユーザデータベース３３１のデータサイズの欄には、最大データサイズからシグネチャデータのデータサイズを減じたデータサイズが記憶される。また、最大データサイズが、シグネチャデータのデータサイズ分を除いたデータサイズである場合は、シグネチャデータの最大データサイズもユーザデータベース３３１に記憶される。
【００６１】
また、ユーザデータベース３３１に、電話番号に関連付けてパスワードを記憶しておき、ＴＶ電話機１で本実施の形態のシステムを利用する際の認証に用いても良い。
更に、ユーザデータベース３３１に、識別番号に関連付けて、保存サーバ４に映像データが保存されているか否かを示す情報を記憶しておき、識別番号を受信した場合、映像データが保存されていないときはその旨を報知する情報をＴＶ電話機１へ送信するよう構成しても良い。
以上のようなユーザデータベース３３１は、識別番号（第２識別情報）と、識別番号に対応して、データの記憶位置を示すＵＲＬ（第３識別情報）とを記憶する手段として機能する。
【００６２】
図３（ｂ）に示す閲覧データベース４３１には、ＵＲＬ、アクセス数、及びシグネチャ等が関連付けて記憶されている。
ＵＲＬの欄には、映像データが保存される保存部４３２の保存領域に対応するＵＲＬ（位置情報）が記憶される。
アクセス数の欄には、保存サーバ４が、受付サーバ３から電話番号とＵＲＬと（第１識別情報と第２識別情報に対応する第３識別情報と）を受信した回数、即ち、ＴＶ電話機１又はＴＶ電話機２からのアクセス数が記憶され、初期値として０が記憶されている。アクセス数は、保存サーバ４が受付サーバ３から電話番号及びＵＲＬを受信する都度、１だけ増加する。なお、アクセス数は、例えば、映像データが更新された場合に、０に初期化するよう構成しても良い。
【００６３】
シグネチャの欄には、シグネチャデータが保存されている保存部４３２の保存領域に対応するアドレス（位置情報）が記憶され、シグネチャデータが保存されていない場合は空欄となる。
以上のような閲覧データベース４３１及び保存部４３２は、ＵＲＬ（第２識別情報に対応する第３識別情報）に関連付けて、受信した映像データファイル（データ）及び送信すべき映像データに付与するシグネチャデータ（付与データ）を記憶する手段として機能する。
【００６４】
なお、本実施の形態の中央装置Ｓは、２個の通信装置（受付サーバ３及び保存サーバ４）を用いて構成されているが、１個の通信装置を用いて構成しても良い。
また、本実施の形態においては、本実施の形態のコンピュータプログラムをインストールされている受付サーバ３及び保存サーバ４に各データベースが内蔵されている場合を例示しているが、本実施の形態のコンピュータプログラムをインストールされている通信装置と、各データベースを内蔵するデータベースサーバとを用いて受付サーバ３及び／又は保存サーバ４を構成しても良い。
【００６５】
本実施の形態のコンピュータプログラム、該コンピュータプログラムを実行する際に用いるデータ、及び各データベースに予め記憶しておくべきデータ等は、各サーバが、通信部３４，４４又はネットワークＩ／Ｆ３５，４５を介して受信して記憶するよう構成しても良い。また、各サーバが、ＣＤ−ＲＯＭドライブを用いてなる外部記憶部を備える場合、前記コンピュータプログラム及び／又は各種データが記録されているＣＤ−ＲＯＭから読み込んで記憶するよう構成しても良い。更に、各サーバがＣＲＴ又は液晶ディスプレイ等を用いてなる表示部並びにキーボード及びマウス等を用いてなる操作部を備える場合、各サーバの管理者が、表示部を見ながら操作部を用いて各種データを入力し、入力されたデータを各サーバが記憶するよう構成しても良い。
【００６６】
図４及び図５は、ＴＶ電話機１、受付サーバ３及び保存サーバ４の映像保存処理の手順を示すフローチャートであり、図６は、ＴＶ電話機１が備える表示部１３に、映像保存処理時に表示される情報の一例を示す模式図である。以下では、１個のＴＶ電話機１が受付サーバ３と通信する場合を例示する。
まず、ＴＶ電話機１のユーザが、操作部１４を用いて映像保存操作を行なう。このとき、ＴＶ電話機１のＣＰＵ１０は、ＲＯＭ１１の記憶領域１１１に記憶されている電話番号とＲＯＭ１１に記憶されている電話番号とを送信することによって、該電話番号を付与されている通信装置（即ち受付サーバ３）に対し、通信部１８を用いて電話接続を行ない、更に、映像データを保存するための識別番号として、記憶領域１１３に記憶されている識別番号を、受付サーバ３へ送信する（Ｓ１１）。
【００６７】
受付サーバ３のＣＰＵ３０は、通信部３４を用いて、映像データを保存するための識別番号を受信した場合に、ユーザデータベース３３１に記憶されている識別番号と一致するものを受信したか否かを判定し（Ｓ１２）、受信した識別番号と一致するものがない場合は（Ｓ１２でＮＯ）、例えば、ユーザに対し、本システムに登録されていない旨を報知する情報をＴＶ電話機１へ送信して、通信部３４による電話接続を終了し、映像保存処理を終了する。前記情報を受信したとき、ＣＰＵ１０は、受信した情報を表示部１３に表示させて、通信部１８による電話接続を終了し、映像保存処理を終了する。
なお、Ｓ１１にてＴＶ電話機１からパスワードも送信され、Ｓ１２にて、受付サーバ３が認証を行なうように構成しても良い。
【００６８】
受信した識別番号と一致するものがユーザデータベース３３１に記憶されている場合（Ｓ１２でＹＥＳ）、ＣＰＵ３０は、撮影ガイダンスをＴＶ電話機１へ送信する（Ｓ１３）。この撮影ガイダンスは、ＴＶ電話機１に対し、映像の撮影手順を指示（例えば、ユーザに対する撮影手順の案内情報を表示部１３に表示するよう指示）し、映像の撮影に関するデータ（例えば、最大データサイズである最大撮影時間）を与えるものである。
【００６９】
図６（ａ）は、映像保存操作の後に、表示部１３に表示される撮影手順の案内情報の一例である。ユーザは、このような案内情報を視認して、操作部１４（例えば「＃」キー）を操作し、ＴＶ電話機１を用いた撮影を、最大撮影時間の間、又は最大撮影時間以下の任意の時間の間だけ行なう。
図６（ｂ）は、撮影中に、表示部１３に表示される動画像の一例であり、商品である洋服と、その説明をしている女性を撮影している場合を例示している。ユーザは、このような映像を視認しつつ撮影を行ない、最大撮影時間が経過するまで撮影を行なったり、任意のタイミングで操作部１４にて撮影を終了させるための操作を行なって撮影を終了したりする。
【００７０】
ＣＰＵ１０は、操作部１４にて所定の操作が行なわれた場合に、映像の撮影を開始する（Ｓ１４）。この場合、ＣＰＵ１０は、撮影ガイダンスとして受信した最大撮影時間以下の撮影を行なう。
ＣＰＵ１０は、撮像部１５を用いて動画データを生成し、音声入出力部１６（マイク１６１）を用いて音声データを生成し、データ処理部１７を用いて、生成された動画データに音声データを同期させてなる映像データを生成し、更に、生成した映像データを圧縮して、通信部１８を用いて受付サーバ３へ送信し、また、表示部１３を用いて、生成した映像データに基づく映像を表示する（Ｓ１５）。なお、映像データの生成及び送信等は、ＲＯＭ１１に記憶されている制御プログラムに従ってＣＰＵ１０が各部を制御して行なっても良いし、ＣＰＵ１０に制御された各部のチップが行なっても良い。
【００７１】
ＣＰＵ３０は、通信部３４を用いて映像データを受信した場合、受信した映像データをＲＡＭ３２に記憶させる（Ｓ１６）。
一方、ＣＰＵ１０は、撮影を終了するか否かを判定する（Ｓ１７）。この場合、ＣＰＵ１０は、Ｓ１４で撮影を開始してからの経過時間が最大撮影時間を超過したか否か、及び、操作部１４にて撮影の終了を命令する所定の操作が行なわれたか否かを判定する。
撮影を終了しない場合（Ｓ１７でＮＯ）、即ち、撮影を開始してからの経過時間が最大撮影時間以下である場合であって、操作部１４にて撮影の終了を命令する所定の操作が行なわれていない場合、ＣＰＵ１０は、処理をＳ１５へ戻して、映像データの生成と送信、及び映像の表示を続行する。
【００７２】
撮影を終了する場合（Ｓ１７でＹＥＳ）、即ち、撮影を開始してからの経過時間が最大撮影時間を超過した場合、又は、操作部１４にて撮影の終了を命令する所定の操作が行なわれた場合、ＣＰＵ１０は、映像データの生成と送信、及び映像の表示を終了し、撮影の終了を示す情報を受付サーバ３ヘ送信する。
ＣＰＵ３０は、ＴＶ電話機１から、撮影の終了を示す情報を受信した場合、確認ガイダンスをＴＶ電話機１へ送信する（Ｓ１８）。この確認ガイダンスは、ＴＶ電話機１に対し、映像の保存手順を指示（例えば、ユーザに対する保存手順の案内情報を表示部１３に表示するよう指示）し、映像の保存に関するデータを与えるものである。
【００７３】
図６（ｃ）は、映像を撮影した後に、表示部１３に表示される保存手順の案内情報の一例である。ユーザは、このような案内情報を視認して、撮影した映像をサーバに保存するか否かを判断し、操作部１４（例えばカーソルキー）を操作して、保存するための操作（表示部１３に表示されている「ＹＥＳ」の選択）又は保存を取り止めるための操作（表示部１３に表示されている「ＮＯ」の選択）を行なう。
図６（ｄ）は、撮影した映像を保存しない場合に、表示部１３に表示される保存手順の案内情報の一例である。ユーザは、このような案内情報を視認して、映像を撮り直すか否かを判断し、操作部１４を操作して、映像を撮り直すための操作、又は撮影を取り止めるための操作を行なう。
【００７４】
ＣＰＵ１０は、映像を保存するか否かを判定し（Ｓ１９）、操作部１４にて、保存を取り止めるための操作が行なわれた場合に、映像を保存しないと判定し（Ｓ１９でＮＯ）、映像を撮り直すか否かを判定し（Ｓ２０）、操作部１４にて、映像を撮り直すための操作が行なわれた場合に、映像を撮り直すと判定し（Ｓ２０でＹＥＳ）、処理をＳ１４へ戻す。
操作部１４にて、撮影を取り止めるための操作が行なわれた場合、ＣＰＵ１０は、映像を撮り直さないと判定し（Ｓ２０でＮＯ）、映像を保存しないよう指示する情報を受付サーバ３へ送信して、電話接続を終了し、映像保存処理を終了する。
この場合、ＣＰＵ３０は、ＲＡＭ３２に記憶した映像データを消去して、電話接続を終了し、映像保存処理を終了する。
【００７５】
操作部１４にて、保存するための操作が行なわれた場合、ＣＰＵ１０は、映像を保存すると判定し（Ｓ１９でＹＥＳ）、映像を保存するよう指示する情報を受付サーバ３へ送信する。
ＣＰＵ３０は、ＴＶ電話機１から、映像を保存するよう指示する情報を受信した場合、ユーザデータベース３３１を参照して、Ｓ１２で受信した識別番号に対応するＵＲＬを読み出し（Ｓ３１）、ＲＡＭ３２に記憶されている映像データをファイル化して映像データファイルを生成して（Ｓ３２）、読み出したＵＲＬと生成した映像データファイルとを、ＬＡＮＩ／Ｆ３５を介して、保存サーバ４へ送信する（Ｓ３３）。
【００７６】
保存サーバ４のＣＰＵ４０は、受付サーバ３から、ＵＲＬ及び映像データファイルを受信した場合に（Ｓ３４）、受信したＵＲＬに対応する保存部４３２の保存領域に、受信した映像データファイルを保存し（Ｓ３５）、保存の完了を報知する情報を、ＬＡＮＩ／Ｆ４５を介して、受付サーバ３へ送信して、映像保存処理を終了する。保存サーバ４から、保存の完了を報知する情報を受信した場合、ＣＰＵ３０は、保存の完了を報知する情報をＴＶ電話機１へ送信して、電話接続を終了し、映像保存処理を終了する。また、受付サーバ３から、保存の完了を報知する情報を受信した場合、ＣＰＵ３０は、保存の完了を報知する情報を表示部１３に表示させて、電話接続を終了し、映像保存処理を終了する。
【００７７】
以上のようにしてＴＶ電話機１は、付与されている識別番号、及び映像データを、Ｓ１１、及びＳ１５にて、中央装置Ｓの受付サーバ３へ送信し保存する。
本実施の形態では、同一のＴＶ電話機１が、一の映像データを送信し保存した後で、他の映像データを送信し保存した場合、一の映像データに他の映像データが上書きされる。即ち、映像データが更新される。
なお、同一のＴＶ電話機１が、一の映像データを送信し保存した後で、他の映像データを送信した場合、一の映像データが既に保存されていることをユーザに報知してから、他の映像データを保存するか否かをユーザに判断させるよう構成しても良い。
【００７８】
また、以上のようにして受付サーバ３は、Ｓ１２にて、ユーザデータベース３３１に記憶してある識別番号をＴＶ電話機１から受信し、また、Ｓ１３にて、映像ガイダンスとして最大データサイズである最大撮影時間をＴＶ電話機１へ送信することにより、Ｓ１６にて、ユーザデータベース３３１に記憶してある所定のデータサイズ以下の映像データをＴＶ電話機１から受信する。
また、以上のようにして保存サーバ４は、Ｓ３４にて、受付サーバ３から送信されたＵＲＬ（受付サーバ３が受信した識別番号に対応するＵＲＬ）及び映像データファイルを受信し、Ｓ３５にて、受信したＵＲＬに関連付けて、受信した映像データファイルを保存部４３２に保存する。
【００７９】
図７は、ＴＶ電話機１又はＴＶ電話機２、並びに受付サーバ３及び保存サーバ４の映像閲覧処理の手順を示すフローチャートであり、図８は、ＴＶ電話機１が備える表示部１３又はＴＶ電話機２が備える表示部に、映像閲覧処理時に表示される情報の一例を示す模式図である。以下では、１個のＴＶ電話機１が受付サーバ３及び保存サーバ４と通信する場合を例示する。
【００８０】
ＴＶ電話機１のＣＰＵ１０は、識別番号の入力を受け付け（Ｓ５１）、表示部１３に、映像閲覧手順の案内情報を表示させる。
図８（ａ）は、Ｓ５１の処理が行なわれた場合に、表示部１３に表示される動画像閲覧手順の案内情報の一例である。ユーザは、このような案内情報を視認して、操作部１４（例えばテンキー）を操作し、閲覧したい映像の識別番号を入力して、映像閲覧操作を行なう（例えばカーソルキーで、表示部１３に表示されている「送信」を選択する）。この場合に受け付ける識別番号は、前記ユーザのＴＶ電話機１の識別番号（自分が保存した映像の閲覧）であっても良く、他のＴＶ電話機１の識別番号（他人が保存した映像の閲覧）であっても良い。
【００８１】
このとき、ＴＶ電話機１のＣＰＵ１０は、受付サーバ３に対し、通信部１８を用いて電話接続を行ない、更に、閲覧したい映像の識別番号として、入力された識別番号、及び、映像を閲覧するＴＶ電話機１の電話番号として、ＲＯＭ１１の記憶領域１１１に記憶されている電話番号を、受付サーバ３へ送信する（Ｓ５２）。
【００８２】
受付サーバ３のＣＰＵ３０は、通信部３４を用いて、閲覧したい映像の識別番号と映像を閲覧するＴＶ電話機１の電話番号とを受信した場合、ユーザデータベース３３１に記憶されている識別番号と一致するものを受信したか否かを判定し、一致するものがユーザデータベース３３１に記憶されているとき（Ｓ５３）、ユーザデータベース３３１を参照して、受信した識別番号に対応するＵＲＬを読み出し（Ｓ５４）、読み出したＵＲＬと受信した電話番号とを、保存サーバ４へ送信する（Ｓ５５）。
【００８３】
Ｓ５３にて、受信した識別番号と一致するものがユーザデータベース３３１にない場合は、例えば、ユーザに対し、識別番号が間違っている旨を報知する情報をＴＶ電話機１へ送信して、電話接続を終了し、映像閲覧処理を終了する。前記情報を受信したとき、ＣＰＵ１０は、受信した情報を表示部１３に表示させて、通信部１８による電話接続を終了し、映像閲覧処理を終了する。
なお、Ｓ５２にてＴＶ電話機１からパスワードも送信され、Ｓ５３にて、受付サーバ３が認証を行なうように構成しても良い。
【００８４】
保存サーバ４のＣＰＵ４０は、受付サーバ３から、ＵＲＬ及び電話番号を受信した場合に（Ｓ５６）、受信したＵＲＬに関連付けて閲覧データベース４３１に記憶されているアクセス数を１だけ増加させることによって、アクセス数を計数する（Ｓ５７）。
次いで、ＣＰＵ４０は、受信したＵＲＬに対応する保存部４３２の保存領域に記憶されている映像データファイルを読み出して（Ｓ５８）、ＲＡＭ４２にて映像データを展開し、伸長する。
【００８５】
次いで、ＣＰＵ４０は、閲覧データベース４３１を参照し、シグネチャデータがある（保存部４３２に記憶されている）か否かを判定し（Ｓ５９）、記憶されている場合（Ｓ５９でＹＥＳ）、即ちシグネチャデータのアドレスが閲覧データベース４３１に記憶されている場合、該アドレスに対応する保存部４３２の保存領域に記憶されているシグネチャデータを読み出して、Ｓ５８にてＲＡＭ４２に記憶した映像データファイルの最後に、読み出したシグネチャデータを付与（追加）する（Ｓ６０）。
Ｓ６０の処理の終了後、又は、シグネチャデータがない場合（Ｓ５９でＮＯ）、ＣＰＵ４０は、閲覧データベース４３１を参照してアクセス数を読み出し、Ｓ５８にてＲＡＭ４２に記憶した映像データに、読み出したアクセス数と、該アクセス数を表示するための映像データ（アクセスカウンタ）とを付与する（Ｓ６１）。
【００８６】
ＣＰＵ４０は、保存サーバ４に付与されている電話番号と、受信した電話番号とを送信することによって、該電話番号を付与されているＴＶ電話機１（即ち映像の閲覧を所望しているユーザのＴＶ電話機１）に対し、通信部４４を用いて電話接続を行ない、更に、ＲＡＭ４２に記憶した映像データを圧縮し、前記ＴＶ電話機１へ送信する（Ｓ６２）。映像データの送信には、受付サーバ３を介さないため、受付サーバ３の負担が低減する。
【００８７】
ＣＰＵ１０は、通信部１８を用いて映像データを受信し、映像データを再生する（Ｓ６３）。この場合、ＣＰＵ１０は、データ処理部１７を用いて、受信した映像データを伸長し、伸長された映像データに含まれる動画データ及び音声データを同期させたまま、表示部１３に動画を表示させ、音声入出力部１６（スピーカ１６２）に音声を出力させる。
【００８８】
図８（ｂ）は、映像データの再生時に、表示部１３に表示される動画像の一例であり、画面の左上にアクセスカウンタが設けられてアクセス数が表示され、また、商品である洋服と、その説明をしている女性とが表示されている場合を例示している。
図８（ｃ）は、シグネチャデータの再生時に、表示部１３に表示される動画像の一例である。図には、図８（ｂ）に示したような映像の終了後に、該映像で説明された商品を販売している店舗の位置を示す地図が表示されている場合を例示している。この場合、商品を説明する映像の内容が変更されたときであっても、シグネチャデータに変更がない限りは、同じ地図の映像が表示される。
【００８９】
Ｓ６２にて映像データの送信が終了した場合、ＣＰＵ４０は、送信の完了を報知する情報を、受付サーバ３及びＴＶ電話機１へ送信し、また、ＴＶ電話機１との間の電話接続を終了し、映像閲覧処理を終了する。ＣＰＵ３０は、保存サーバ４から、送信の完了を報知する情報を受信した場合、ＴＶ電話機１との間の電話接続を終了し、映像閲覧処理を終了する。
ＣＰＵ１０は、保存サーバ４から、送信の完了を報知する情報を受信した場合、電話接続を終了し、映像データの再生終了後、映像閲覧処理を終了する。
【００９０】
本実施の形態においては、ＴＶ電話機１は、保存サーバ４から映像データを受信しつつ再生する場合を例示したが、映像データを全て受信し、保存サーバ４との電話接続を終了してから、映像データを再生するよう構成しても良い。
また、ＴＶ電話機１は、再生が終了した映像データを消去するよう構成しても良く、例えばＲＡＭ１２に記憶するよう構成しても良い。
【００９１】
以上のようにしてＴＶ電話機１（及びＴＶ電話機２）は、Ｓ５２にて、ＴＶ電話機１の外部で記憶されている映像データファイルを特定する識別番号、及びＴＶ電話機１に付与されている電話番号を受付サーバ３へ送信し、Ｓ６３にて映像データファイルを受信して再生する。
また、以上のようにして受付サーバ３は、Ｓ５３にて、ユーザデータベース３３１に記憶してある識別番号を受信した場合に、Ｓ５５にて、受信した識別番号に対応するＵＲＬと受信した電話番号とを保存サーバ４へ送信する。
【００９２】
また、以上のようにして保存サーバ４は、Ｓ５６にて、受付サーバ３から送信されたＵＲＬ（受付サーバ３が受信した識別番号に対応するＵＲＬ）及び電話番号を受信し、Ｓ５７にて、ＵＲＬ及び電話番号を受信した回数を、受信したＵＲＬに関連付けて計数し、Ｓ６１にて、計数結果であるアクセス数を、受信したＵＲＬに関連付けて保存部４３２に記憶してある映像データに付与する。また、保存サーバ４は、Ｓ６０にて、受信したＵＲＬに関連付けて閲覧データベース４３１に記憶してあるアドレスに対応する保存部４３２の保存領域に記憶してあるシグネチャデータを前記映像データに付与する。更に、保存サーバ４は、Ｓ６２にて、映像データを、受信した電話番号を付与されているＴＶ電話機１へ送信する。
【００９３】
なお、個々の映像データに、例えば、所定の電話番号を付与されているＴＶ電話機１での閲覧が可能か不可能かを設定できるよう構成し、閲覧が不可能な電話番号を受信した場合は、中央装置Ｓが映像データを送信しないよう構成しても良い。
【００９４】
図９は、ＴＶ電話機１又はＴＶ電話機２の映像転送処理の手順を示すフローチャートである。以下では、ＴＶ電話機１とＴＶ電話機２との通話中に、ＴＶ電話機１が受付サーバ３と通信し、ＴＶ電話機２が保存サーバ４と通信する場合を例示する。
ＴＶ電話機１のユーザは、ＴＶ電話機２の電話番号を入力／選択する。
ＴＶ電話機１のＣＰＵ１０は、電話番号が入力／選択された場合に、入力／選択された電話番号をＲＡＭ１２に記憶し、記憶した電話番号を付与されているＴＶ電話機２に対し、通信部１８を用いて電話接続を開始する（Ｓ９１）。
ＴＶ電話機２のＣＰＵは、電話接続が要請された場合にユーザを呼び出し、操作部にて所定の操作が行なわれた場合に、電話接続を確立する（Ｓ９２）。
【００９５】
ＣＰＵ１０は、識別番号の入力を受け付け（Ｓ９３）、例えば、表示部１３に、図８（ａ）の映像閲覧手順の案内情報と同様の映像転送手順の案内情報を表示させる。ユーザは、このような案内情報を視認して、操作部１４を操作し、ＴＶ電話機２へ転送したい映像の識別番号を入力して、映像転送操作を行なう。
ＣＰＵ１０は、映像転送操作が行なわれたか否かを判定することによって、識別番号を送信するか否かを判定し（Ｓ９４）、送信する場合は（Ｓ９４でＹＥＳ）、入力された識別番号、及び、通話相手の電話番号、即ち映像を転送するＴＶ電話機２の電話番号として、ＲＡＭ１２に記憶されている電話番号を、受付サーバ３へ送信する（Ｓ９５）。
【００９６】
この場合、受付サーバ３と保存サーバ４とは、図７に示すＳ５３〜Ｓ６２の処理を行なう。即ち、受付サーバ３は、閲覧したい映像の識別番号と映像を転送するＴＶ電話機２の電話番号とを受信した場合、受信した識別番号に対応するＵＲＬをユーザデータベース３３１から読み出し、読み出したＵＲＬと受信した電話番号とを、保存サーバ４へ送信する。保存サーバ４は、受付サーバ３からＵＲＬ及び電話番号を受信した場合に、アクセス数を計数し、受信したＵＲＬに対応する映像データファイルを保存部４３２から読み出し、シグネチャデータがある場合はシグネチャデータ付与し、更に、アクセス数を付与する。次いで、保存サーバ４は、受信した電話番号を付与されているＴＶ電話機２（即ち映像の転送を所望しているユーザの通話相手のＴＶ電話機２）へ、映像データを送信する。
【００９７】
ＴＶ電話機２のＣＰＵは、通信部を用いて映像データを受信し、映像データを再生する（Ｓ９６）。
ＣＰＵ１０は、Ｓ９５の処理が終了した場合、又は、映像転送操作が行なわれず、識別番号を送信しないと判定した場合は（Ｓ９４でＮＯ）、操作部１４にて所定の操作が行なわれたか否かを判定することによって、通話を終了する（終話する）か否かを判定する（Ｓ９７）。
通話を終了しない場合（Ｓ９７でＮＯ）、ＣＰＵ１０は、処理をＳ９４へ戻し、終了する場合は（Ｓ９７でＹＥＳ）、ＴＶ電話機２との間の電話接続を終了し、映像転送処理を終了する。
【００９８】
以上のようにしてＴＶ電話機１は、Ｓ９１にてＴＶ電話機２との通話を開始し、Ｓ９５にて、ＴＶ電話機１の外部で記憶されている映像データファイルを特定する識別番号、及びＴＶ電話機２に付与されている電話番号を受付サーバ３へ送信する。ＴＶ電話機２は、Ｓ９６にて映像データファイルを受信して再生する。なお、この場合にＴＶ電話機１も映像データファイルを受信して再生するよう構成しても良い。
また、転送可能な映像データは、ＴＶ電話機１が送信した映像データのみならず、他のＴＶ電話機１が送信した映像データであっても良い。また、個々の映像データに、転送可能か不可能かを設定できるよう構成しても良い。
【００９９】
以上のような通信システムを用いる場合、ＴＶ電話機１のユーザは、ＴＶ電話機１を用いて、容易に映像データを生成し、中央装置Ｓに保存する。
そして、ＴＶ電話機１のユーザは、例えば、新聞の各ニュースに対応させて識別番号を記載しておく。この場合、ＴＶ電話機１，２のユーザは、各ニュースに関連する映像をＴＶ電話機１，２で閲覧する。
また、ＴＶ電話機１のユーザは、広告の商品、又は店頭に置かれている商品の値札等に識別番号を記載しておく。この場合、ＴＶ電話機１，２のユーザは、各商品に関連するコマーシャル映像をＴＶ電話機１，２で閲覧する。
また、ＴＶ電話機１のユーザは、名刺に識別番号を記載しておく。この場合、ＴＶ電話機１，２のユーザは、相手の自己紹介をＴＶ電話機１，２で閲覧する。
【０１００】
ＴＶ電話機１，２のユーザは、自機にて映像を閲覧したり、通話相手のＴＶ電話機１，２に映像を転送して、該ＴＶ電話機１，２のユーザに映像を閲覧させたりする。ＴＶ電話機１，２で再生される映像は、動画像及び音声を含むため、映像を閲覧しているユーザの視覚及び聴覚に訴えることが可能である。
なお、映像データにテロップを付加したり、映像データとＴＶ電話機１，２のバイブレーション機能とを連動させたりして、ユーザの視覚、聴覚、及び触覚に訴えるよう構成しても良い。
また、ＴＶ電話機１のユーザが、他のＴＶ電話機１に固有の識別番号を用い、該他のＴＶ電話機１に割り当てられている保存領域に映像を保存し、保存された映像を、前記他のＴＶ電話機１のユーザのみが閲覧するよう構成しても良い。この場合、通信システムを、留守番電話のように用いることが可能である。
【０１０１】
実施の形態  ２．
実施の形態１においては、識別番号で映像データを特定し、中央装置Ｓ内でＵＲＬを用いて映像データの記憶／読み出しを行なったが、本実施の形態においては、ＵＲＬで映像データを特定する。この場合、本実施の形態の通信システムを、例えばインターネットに接続し、インターネットを介して、パソコンのような通信装置が、映像データを受信して閲覧するよう構成することが容易である。
【０１０２】
図１０は、本発明の実施の形態２に係る通信システムを構成する携帯電話機５のブロック図である。
本実施の形態における通信システムは、固有の電話番号、メールアドレス及びＵＲＬを付与される携帯電話機５，５，…と、固有の電話番号及びメールアドレスを付与される従来の携帯電話機７，７，…と、管理センタＣに設置され、携帯電話機５，７と通信する中央装置である保存サーバ６とを備える。携帯電話機５，７、及び保存サーバ６は、無線又は有線で電話回線Ｐに接続される。
携帯電話機５に付与されるＵＲＬは、映像データを特定する第２識別情報であり、各携帯電話機５に固有である。
【０１０３】
また、本実施の形態における通信システムで送受信される映像データは、第１映像データ（例えば、図１４（ａ）参照）及び該第１映像データに関連付けられた２個の第２映像データ（この場合、図１４（ｃ），（ｄ）参照）を含み、第１映像データは、２個の第２映像データの内、１個の第２映像データを選択する手段（図１４（ｂ）参照）を有する。
なお、映像データは、１個の第１映像データに関連付けて、３個以上の第２映像データを含んでいても良い。また、映像データは、１又は複数の第２映像データを新たな第１映像データとし、該新たな第１映像データに関連付けて、複数の第２映像データを夫々含んでいても良い。
【０１０４】
図中５０は、携帯電話機５の制御中枢であるＣＰＵであり、ＣＰＵ５０は、バスを介して、ＲＯＭ５１及びＲＡＭ５２等の装置各部に接続されている。
ＣＰＵ５０は、ＲＯＭ５１に記憶された制御プログラムに従って装置各部を制御し、このとき発生するデータ又は外部から入力されるデータ等をＲＡＭ５２に一時記憶して、各種処理を実行する。
表示部５３は、ＣＰＵ５０に制御されて、携帯電話機５の動作状態、ユーザに対する入力指示、又は動画像等を表示する。また、操作部５４は、表示部５３を見ながらユーザが携帯電話機５を操作するためのテンキー、カーソルキー及びファンクションキー等を備え、ＣＰＵ５０に制御されて、ユーザによる電話番号又は送信命令等の入力を受け付ける。
【０１０５】
撮像部５５は、例えばＣＣＤカメラを用いてなり、動画像を撮像する。音声入出力部５６は、マイク５６１及びスピーカ５６２等を用いてなり、音声の入出力を行なう。撮像部５５で撮像された動画像のデータ、及び音声入出力部５６のマイク５６１へ入力された音声のデータは、データ処理部５７へ入力される。
データ処理部５７は、入力された各データを用い、動画像に音声を同期させた映像データを生成する。この場合、ＣＰＵ５０は、データ処理部５７が生成した映像データをＲＡＭ５２に記憶する。
ＲＡＭ５２に記憶された映像データは、表示部５３及び音声入出力部５６のスピーカ５６２にて、動画像に音声が同期された映像として再生される。
【０１０６】
通信部５８は、アンテナを介して無線で電話回線Ｐに接続する。ＣＰＵ５０は、通信部５８を用いて、電話回線Ｐを介したデータの送受信を行なう。
映像データを送信する場合、ＣＰＵ５０は、ＲＡＭ５２に記憶した映像データをファイル化して映像データファイルとなし、データ処理部５７に、映像データファイルを通信用に圧縮させて、通信部５８を用いて、保存サーバ６へ送信する。また、映像データが受信された場合、ＣＰＵ５０は、データ処理部５７に、受信された映像データファイルを再生用に伸長させて、ＲＡＭ５２に記憶し、映像データを展開する。
【０１０７】
携帯電話機５は、販売時に、又は販売後に所定の手続を経て、固有の電話番号、メールアドレス、及びＵＲＬが付与され、付与された電話番号、メールアドレス、及びＵＲＬを、夫々ＲＯＭ５１の記憶領域５１１，５１２，５１３に記憶する。また、ＲＯＭ５１の図示しない記憶領域には、保存サーバ６に付与されている電話番号が記憶されている。
携帯電話機５は、操作部５４にて一の所定の操作（以下、映像保存操作という）が行なわれた場合に、記憶領域５１３に記憶されているＵＲＬを保存サーバ６へ送信するよう構成されている。また、携帯電話機５は、操作部５４にて他の所定の操作（以下、映像閲覧操作という）が行なわれた場合に、操作部５４から入力されたＵＲＬと、記憶領域５１１に記憶されている電話番号とを保存サーバ６へ送信するよう構成されている。
【０１０８】
図１１は、通信システムを構成する保存サーバ６のブロック図である。
保存サーバ６には、固有の電話番号が付与されている。
図中６０は、保存サーバ６の制御中枢であるＣＰＵであり、ＣＰＵ６０は、バスを介して、ＲＯＭ６１及びＲＡＭ６２等の装置各部に接続されている。
ＣＰＵ６０は、ＲＯＭ６１又はハードディスクを用いてなる補助記憶部６３に記憶された制御プログラムに従って装置各部を制御し、このとき発生するデータ又は外部から入力されるデータ等をＲＡＭ６２に一時記憶して、各種処理を実行する。
【０１０９】
補助記憶部６３には、本実施の形態のコンピュータプログラム、及び該コンピュータプログラムを実行する際に用いるデータ等が記憶されている。また、補助記憶部６３は、ユーザデータベース６３１と、保存部６３２とを格納している。保存部６３２には、携帯電話機５が送信した映像データファイルが、ユーザデータベース６３１に記憶されているＵＲＬに対応する保存領域に保存されている。
通信部６４は、例えばモデムを用いてなり、電話回線Ｐに接続する。ＣＰＵ６０は、通信部６４を用いて、電話回線Ｐを介したデータの送受信を行なう。
【０１１０】
ユーザデータベース６３１には、図３（ａ）に示すユーザデータベース３３１と同様にして、ユーザ名、電話番号、メールアドレス、及びＵＲＬ等が関連付けて記憶されているが、識別番号は記憶されていない。
また、ＵＲＬの欄には、保存部６３２におけるデータの記憶位置を示すＵＲＬ（第２識別情報）が記憶されている。
その他、実施の形態１に対応する部分には同一符号を付してそれらの説明を省略する。
【０１１１】
図１２は、携帯電話機５及び保存サーバ６の映像保存処理の手順を示すフローチャートである。
まず、携帯電話機５のユーザが、携帯電話機５を用いて第１映像データとなる映像の撮影を行なう。この場合、例えば、男性が自己紹介している場面を撮影する。
このとき、携帯電話機５のＣＰＵ５０は、操作部５４にて所定の操作が行なわれた場合に、映像の撮影を開始する（Ｓ１１１）。ＣＰＵ５０は、撮像部５５を用いて動画データを生成し、音声入出力部５６を用いて音声データを生成し、データ処理部５７を用いて、生成された動画データに音声データを同期させてなる映像データを生成し、生成した映像データを第１映像データとしてＲＡＭ５２に記憶させる（Ｓ１１２）。
【０１１２】
次いで、携帯電話機５のユーザが、携帯電話機５を用いて、１個目の第２映像データとなる映像の撮影を行なう。この場合、例えば、前記男性が勤めている会社を撮影する。
このとき、携帯電話機５のＣＰＵ５０は、映像の撮影を開始する（Ｓ１１３）。ＣＰＵ５０は、Ｓ１１２の処理と同様にして映像データを生成し、生成した映像データを一の第２映像データとしてＲＡＭ５２に記憶させる（Ｓ１１４）。
次いで、携帯電話機５のユーザが、携帯電話機５を用いて、２個目の第２映像データとなる映像の撮影を行なう。この場合、例えば、男性の自宅を撮影する。このとき、携帯電話機５のＣＰＵ５０は、映像の撮影を開始し（Ｓ１１５）、Ｓ１１２及びＳ１１４の処理と同様にして映像データを生成して、生成した映像データを他の第２映像データとしてＲＡＭ５２に記憶させる（Ｓ１１６）。
【０１１３】
更に、携帯電話機５のユーザが、操作部５３を用いて、第２映像データの内、一方を選択するための情報を入力する。この場合、例えば、「どちらを見ますか？」「会社」「自宅」という文字情報を入力する。
次に、ＣＰＵ５０は、ＲＡＭ５２に記憶させた第１映像データ、並びに一の第２映像データ及び他の第２映像データと、操作部５３から入力された情報とを用い、まず、該情報を用いて、２個の第２映像データの内、１個の第２映像データを選択するボタンの映像データを夫々生成して、第１映像データに付与する。次に、第１映像データに付与された２個ボタンの映像データに、各第２映像データを関連付けてなる映像データを生成する。最後に、生成した映像データをファイル化して、映像データファイルとなす（Ｓ１１７）。
【０１１４】
最後に、携帯電話機５のユーザが、操作部５４を用いて映像保存操作を行なう。
このとき、携帯電話機５のＣＰＵ５０は、ＲＯＭ５１の記憶領域５１１に記憶されている電話番号とＲＯＭ５１に記憶されている電話番号とを、通信部５８を用いて送信することによって、該電話番号を付与されている通信装置（即ち保存サーバ６）に対して接続し、更に、記憶領域５１３に記憶されているＵＲＬと、ＲＡＭ５２に記憶されている映像データファイルとを、保存サーバ６へ夫々送信する（Ｓ１１８）。
【０１１５】
保存サーバ６のＣＰＵ６０は、通信部６４を用いてＵＲＬを受信した場合に、ユーザデータベース６３１に記憶されているＵＲＬと一致するものを受信したか否かを判定し、一致するＵＲＬを受信した場合（Ｓ１１９）、受信したＵＲＬに対応する保存部６３２の保存領域に、受信した映像データファイルを保存し（Ｓ１２０）、保存の完了を報知する情報を、通信部６４を用いて、携帯電話機５へ送信し、携帯電話機５に対する接続を終了し、映像保存処理を終了する。
保存サーバ６から、保存の完了を報知する情報を受信した場合、ＣＰＵ５０は、保存サーバ６に対する接続を終了し、映像保存処理を終了する。
【０１１６】
図１３は、携帯電話機５及び保存サーバ６の映像閲覧処理の手順を示すフローチャートであり、図１４は、携帯電話機５が備える表示部５３又は携帯電話機７が備える表示部に、映像閲覧処理時に表示される情報の一例を示す模式図である。以下では、携帯電話機５が保存サーバ６と通信する場合を例示する。
携帯電話機５のＣＰＵ５０は、ＵＲＬの入力を受け付ける（Ｓ１３０）。
ユーザは、操作部５４を操作し、閲覧したい映像のＵＲＬを入力して、映像閲覧操作を行なう。
【０１１７】
操作部５４にて映像閲覧操作が行なわれた場合、ＣＰＵ５０は、保存サーバ６に接続し、更に、入力されたＵＲＬと、ＲＯＭ５１の記憶領域５１１に記憶されている電話番号とを、保存サーバ６へ送信する（Ｓ１３１）。
保存サーバ６のＣＰＵ６０は、通信部６４を用いてＵＲＬと電話番号とを受信した場合、ユーザデータベース６３１に記憶されているＵＲＬと一致するものを受信したか否かを判定し、一致するものがユーザデータベース６３１に記憶されているとき（Ｓ１３２）、受信したＵＲＬに対応する保存部６３２の保存領域に記憶されている映像データファイルを読み出し（Ｓ１３３）、Ｓ１３２で受信した電話番号を付与されている携帯電話機５へ送信して（Ｓ１３４）、携帯電話機５に対する接続を終了し、映像閲覧処理を終了する。
【０１１８】
ＣＰＵ５０は、通信部６４を用いて映像データを受信し、保存サーバ６に対する接続を終了してから、映像データを再生する（Ｓ１３５）。この場合、ＣＰＵ５０は、データ処理部５７を用いて、受信した映像データファイルを伸長し、伸長された映像データファイルをＲＡＭ５２に記憶させて映像データファイルを展開し、該映像データファイルに含まれる動画データ及び音声データを同期させたまま、表示部５３に動画を表示させ、音声出力部５６に音声を出力させる。このとき、まず、第１映像データに対応する図１４（ａ）に示すような映像が再生される。
図１４（ａ）は、第１映像データの再生時に、表示部５３に表示される動画像の一例であり、自己紹介をしている男性が表示されている場合を例示している。
【０１１９】
次いで、ＣＰＵ５０は、第２映像データの内、一方を選択するための情報として、図１４（ｂ）に示すような一の第２映像データを選択するボタンと他の第２映像データを選択するボタンとを表示部５３に表示させ、どちらのボタンが選択されたかを判定することによって、一の第２映像データを選択するか他の第２映像を選択するかを判定する（Ｓ１３６）。
【０１２０】
図１４（ｂ）は、第１映像データの再生時の最後に、表示部５３に表示される動画像の一例であり、「どちらを見ますか？」という文字情報と、「会社」及び「自宅」というボタンとが表示されている場合を例示している。ユーザは、このような情報及びボタンを視認して、どちらの映像を見るのか（会社の映像を見るのか自宅の映像を見るのか）を判断し、操作部５４（例えばカーソルキー）を操作して、一の第２映像データを閲覧するための操作（表示部５３に表示されている「会社」ボタンの選択）又は他の第２映像データを閲覧するための操作（表示部５３に表示されている「自宅」ボタンの選択）を行なう。
【０１２１】
一の第２映像データを選択するボタン（例えば「会社」ボタン）が選択された場合（Ｓ１３６で一）、ＣＰＵ５０は、第１映像データに続けて、一の第２映像データを再生する（Ｓ１３７）。このとき、一の第２映像データに対応する図１４（ｃ）に示すような映像が再生される。
図１４（ｃ）は、一の第２映像データの再生時に、表示部５３に表示される動画像の一例であり、男性が勤務している会社が紹介される場合を例示している。
【０１２２】
他の第２映像データを選択するボタン（例えば「自宅」ボタン）が選択された場合（Ｓ１３６で他）、ＣＰＵ５０は、第１映像データに続けて、他の第２映像データを再生する（Ｓ１３８）。このとき、他の第２映像データに対応する図１４（ｄ）に示すような映像が再生される。
図１４（ｄ）は、他の第２映像データの再生時に、表示部５３に表示される動画像の一例であり、男性の自宅が紹介される場合を例示している。
Ｓ１３７又はＳ１３８の処理の終了後、ＣＰＵ５０は、映像閲覧処理を終了する。
以上のような通信システムは、実施の形態１の通信システムと同様に利用することが可能である。
【０１２３】
【発明の効果】
本発明の電話機の販売方法によれば、固有の電話番号、電子メールアドレス、及び識別情報を付与される電話機を販売することにより、識別情報に関連付けて、外部にデータを記憶したり、記憶されているデータを送受信したりする通信システムを構成できる電話機を販売することができる。即ち、このような電話機は、識別情報に対応する外部の記憶領域を保有することができるため、従来の電話機より付加価値の高い電話機を販売することができる。
【０１２４】
本発明の通信方法及び通信システムによれば、第２識別情報を付与されている電話機に対し、該電話機に固有の第２識別情報に関連付けて該電話機が送信したデータを記憶する電話機外部の記憶手段を与え、また、電話機に対し、電話機外部の記憶手段に記憶されているデータを受信させることにより、第２識別情報に関連付けて、中央装置のデータ記憶手段に記憶されているデータを、各電話機が送受信することができる。このため、１人のユーザが電話機を用いて送信したデータを、多数のユーザが電話機を用いて任意のタイミングで容易に受信することができ、データの送受信の利便性を向上することができる。この場合、データを送信するユーザは、データの送信時に、データの宛先を送信する必要がない。
【０１２５】
また、第２識別情報に関連付けてデータを記憶した後に、同一の第２識別情報に関連付けて新たなデータを記憶することにより、データの更新を簡易に行なうことができる。また、送信するデータが、電話機で容易に生成可能なデータ（例えば、電話機が備える撮影手段を用いて撮影した映像データ）である場合、ユーザは、データの記憶及び更新を更に容易に行なうことができる。
また、中央装置が、識別情報記憶手段に、第２識別情報に対応して、データの記憶位置を示す第３識別情報を記憶し、第２情報を受信した場合に、第３識別情報を用いてデータを記憶したり読み出したりすることにより、ユーザが使い易い第２識別情報と、中央装置が使い易い第３識別情報とを用いることができるため、システムの利便性を向上することができる。
【０１２６】
また、電話機へ送信するデータに、該データの送信が要求された回数を付与することによって、該データに対するアクセス数を報知するアクセスカウンタ機能を実現することができる。
また、電話機へ送信するデータに、該データとは異なる定型的な付与データを付与することによって、前記データ又は付与データが、文字、音声、静止画像、又は動画像等を含む場合であっても、電子メールの署名のような署名機能を実現することができる。
【０１２７】
また、他の電話機と通話中に、外部で記憶されているデータを特定する第２識別情報、及び通話相手である電話機に付与されている第１識別情報を中央装置へ送信することによって、電話機同士の通話中に、第１識別情報及び第２識別情報を送信した電話機の通話相手である電話機へデータを転送する通話中データ転送機能を実現することができる。
また、データ記憶手段に記憶するデータのデータサイズを中央装置側で限定することによって、電話機が送信するデータの最大データサイズ、即ち電話機毎に与えられる外部の記憶手段の記憶容量を中央装置側で加減する容量追加サービスを実現することができる。
【０１２８】
また、電話機が、受信したデータの第１データに関連付けられている複数の第２データの内、一の第２データをユーザに選択させ、ユーザが選択した第２データを、第１データの表示後に表示させることによって、画面遷移機能を実現することができる。
また、中央装置を、第１識別情報、第２識別情報、及び／又はデータの受信を行なう第１通信装置と、データの記憶及び送信を行なう第２通信装置とを用いて構成することにより、中央装置が行なうべき処理を分担することができるため、中央装置の負担を軽減することができる。
【０１２９】
また、本発明の電話機は、このような通信システムを構成する電話機として機能することができる。
また、本発明の通信装置は、このような通信システムを構成する中央装置として機能することができ、本発明のコンピュータプログラムは、コンピュータを、このような通信装置として動作させることができる。
更に、動画像（及び音声等）を用いてなるデータを用いることにより、電話機に受信されたデータは、例えば、電話機が備える表示手段に表示される（又は音声入出力手段から出力される）ため、ユーザの視覚（又は聴覚等）に強く訴えるデータを送受信ことができる等、本発明は優れた効果を奏する。
【図面の簡単な説明】
【図１】本発明の実施の形態１に係る通信システムを構成するＴＶ電話機のブロック図である。
【図２】本発明の実施の形態１に係る通信システムを構成する受付サーバ及び保存サーバのブロック図である。
【図３】本発明の実施の形態１に係る受付サーバのユーザデータベース及び保存サーバの閲覧データベースに記憶される情報の一例を示す模式図である。
【図４】本発明の実施の形態１に係るＴＶ電話機、受付サーバ及び保存サーバの映像保存処理の手順を示すフローチャートである。
【図５】本発明の実施の形態１に係るＴＶ電話機、受付サーバ及び保存サーバの映像保存処理の手順を示すフローチャートである。
【図６】本発明の実施の形態１に係るＴＶ電話機が備える表示部に、映像保存処理時に表示される情報の一例を示す模式図である。
【図７】本発明の実施の形態１に係るＴＶ電話機、受付サーバ及び保存サーバの映像閲覧処理の手順を示すフローチャートである。
【図８】本発明の実施の形態１に係るＴＶ電話機が備える表示部に、映像閲覧処理時に表示される情報の一例を示す模式図である。
【図９】本発明の実施の形態１に係るＴＶ電話機の映像転送処理の手順を示すフローチャートである。
【図１０】本発明の実施の形態２に係る通信システムを構成する携帯電話機のブロック図である。
【図１１】本発明の実施の形態２に係る通信システムを構成する保存サーバのブロック図である。
【図１２】本発明の実施の形態２に係る携帯電話機及び保存サーバの映像保存処理の手順を示すフローチャートである。
【図１３】本発明の実施の形態２に係る携帯電話機及び保存サーバの映像閲覧処理の手順を示すフローチャートである。
【図１４】本発明の実施の形態２に係る携帯電話機が備える表示部に、映像閲覧処理時に表示される情報の一例を示す模式図である。
【符号の説明】
１，２  ＴＶ電話機
３  受付サーバ
４，６  保存サーバ
５，７  携帯電話機
１０，３０，４０，５０，６０  ＣＰＵ
１１，３１，４１，５１，６１  ＲＯＭ
１２，３２，４２，５２，６２  ＲＡＭ
３３，４３，６３  補助記憶部
１８，３４，４４，５８，６４  通信部
３３１，６３１  ユーザデータベース
４３１  閲覧データベース
４３２，６３２  保存部
【図１】
2004282256.tif 000003
【図２】
2004282256.tif 000004
【図３】
2004282256.tif 000005
【図４】
2004282256.tif 000006
【図５】
2004282256.tif 000007
【図６】
2004282256.tif 000008
【図７】
2004282256.tif 000009
【図８】
2004282256.tif 000010
【図９】
2004282256.tif 000011
【図１０】
2004282256.tif 000012
【図１１】
2004282256.tif 000013
【図１２】
2004282256.tif 000014
【図１３】
2004282256.tif 000015
【図１４】
2004282256.tif 000016